(57)【要約】【課題】  アドレス放電ミスを低減させ、表示画像の劣化を抑えたプラズマディスプレイ装置を提供する。【解決手段】  赤、緑、青の３種の発光媒質に対応付けられた３種のアドレス電極のうち、少なくとも１種のアドレス電極に印加するアドレスパルスを、他の２種のアドレス電極へのアドレスパルスとは異なるタイミングで印加する。望ましくは、１種のアドレス電極に供給するアドレスパルスの印加開始タイミングを他の２種のアドレス電極へのアドレスパルスの印加開始タイミングよりも早くする。【選択図】図１
2010134305.tif 000002
【特許請求の範囲】
【請求項１】
複数の走査電極及び維持電極と、前記走査電極と前記維持電極に交差する方向に配置されたアドレス電極を有するプラズマディスプレイパネルを、前記アドレス電極と前記走査電極の間でのアドレス放電により発光セルを規定して前記走査電極及び維持電極間で繰り返し放電を行ってセルを発光させるプラズマディスプレイの駆動方法であって、
前記アドレス電極は、赤、緑、青の３種の発光媒質に対応付けられた３種のアドレス電極から成り、
前記３種のアドレス電極のうちの少なくとも１種のアドレス電極に印加する前記アドレス放電のためのアドレスパルスを、他のアドレス電極への前記アドレスパルスとは異なるタイミングで印加することを特徴とするプラズマディスプレイの駆動方法。
【請求項２】
前記１種のアドレス電極に印加する前記アドレスパルスは、当該アドレス電極の放電特性に対応させて、前記他のアドレス電極に印加する前記アドレスパルスとは異なるタイミングとしたことを特徴とする請求項１記載のプラズマディスプレイの駆動方法。
【請求項３】
前記１種のアドレス電極は前記緑の発光媒質に対応するアドレス電極、前記他のアドレス電極は前記赤と青の発光媒質に対応する２種のアドレス電極であって、前記１種のアドレス電極への前記アドレスパルスの印加開始タイミングを前記他のアドレス電極への前記アドレスパルスの印加開始タイミングよりも早くすることを特徴とする請求項１記載のプラズマディスプレイの駆動方法。
【請求項４】
前記走査電極に印加する前記アドレス放電のための走査パルスの印加開始タイミングと、前記１種のアドレス電極への前記アドレスパルスの印加開始タイミングとを略同時とし、前記他のアドレス電極への前記アドレスパルスの印加開始タイミングを前記走査パルスの印加開始タイミングより遅らせることを特徴とする請求項３記載のプラズマディスプレイの駆動方法。
【請求項５】
前記走査電極に印加する前記アドレス放電のための負極性の走査パルスの印加開始タイミングよりも前記１種のアドレス電極への前記アドレスパルスの印加開始タイミングを早くしたことを特徴とする請求項３記載のプラズマディスプレイの駆動方法。
【請求項６】
前記１種のアドレス電極への前記アドレスパルスの最大電圧値に到達するタイミングを、前記走査パルスの最小電圧値に到達するタイミングと略同じ、或いは前記走査パルスの最小電圧値に到達するタイミングよりも遅くしたことを特徴とする請求項５記載のプラズマディスプレイの駆動方法。
【請求項７】
前記１種のアドレス電極は前記緑の発光媒質に対応するアドレス電極、前記他のアドレス電極は前記赤と青の発光媒質に対応する２種のアドレス電極であって、
前記緑の発光媒質に対応するアドレス電極への前記アドレスパルス、前記青の発光媒質に対応するアドレス電極への前記アドレスパルス、前記赤の発光媒質に対応するアドレス電極への前記アドレスパルスの順で前記アドレスパルスの印加を開始することを特徴とする請求項１記載のプラズマディスプレイの駆動方法。
【請求項８】
前記アドレスパルスを前記１種のアドレス電極に印加するためのアドレス駆動回路を、前記アドレスパルスの印加開始から所定時間後にハイインピーダンスとすることを特徴とする請求項１乃至請求項７の何れか一項に記載のプラズマディスプレイの駆動方法。
【発明の詳細な説明】
【技術分野】
【０００１】
本発明は、ＡＣ型（Alternating Current:交流型）プラズマディスプレイパネルを駆動表示させるプラズマディスプレイの駆動方法に関する。
【背景技術】
【０００２】
例えば、従来のＡＣ型プラズマディスプレイパネル（以下、ＰＤＰと称する）、特に交流型（ＡＣ型）ＰＤＰにおいて、ＡＤＳ方式（Address Display Period Separated）では、発光する画素（セル）を規定するアドレス放電は、横１ライン（Ｒ、Ｇ、Ｂ各色）で同時に行い、アドレス電極に印加する電圧および駆動するタイミングも色によらず一定であった。しかし、アドレス放電の適正電圧は、アドレス電極部に設けられる蛍光体等発光媒質の種類により、または、該発光媒質の違いによる差を含めた各アドレス電極の放電特性により異なっているため、各アドレス電極の印加電圧や印加開始タイミングを一定にすると、安定した表示を行うための電圧範囲が狭くなったり、選択し得る蛍光体等発光媒質の種類が限定されてしまう等の不都合があった。これを解決する手段として、下記の特許文献１が提案されている。
【０００３】
特許文献１は、ＲＧＢの各アドレス電極に印加する電圧を各発光媒質を含めた各アドレス電極の放電特性に対応した値に設定することで、アドレス放電ミスをなくして安定画像を得ることが開示されている。
【０００４】
【特許文献１】特開平１１−１６１２２７号公報
【発明の開示】
【発明が解決しようとする課題】
【０００５】
上述のように、アドレス電極にて発生するアドレス放電は、アドレス電極部に設けられる蛍光体などの発光媒質の種類により、または、該発光媒質の違いによる差を含めた各アドレス電極の放電特性により異なり、アドレスパルスの印加開始から放電するまでの所謂放電遅れが各発光媒質で異なる。そのため、各アドレス電極に対して印加電圧の起動のタイミングや動作幅を一定にすると、安定した表示を行うための駆動範囲が狭くなり、選択し得る蛍光体の発光媒質の性能や種類が限定されてしまうという不都合があった。
【０００６】
また近年、プラズマディスプレイ装置の大型化や高精細化が加速し、セル内には、高発光効率を得るために高Ｘｅガスが使われるようになっている。そのため、アドレス放電時の放電遅れが拡大され、誤放電による誤表示が更に顕著となる等の問題が生じている。これに対し上記特許文献１を適用した場合には、発光媒質の特性によってはアドレス電圧を高くして適用することになるために高耐圧のアドレス駆動回路が必要となる。また、各色毎に異なった電圧を印加することになるので、複数の電圧を供給する電源が必要となりコストの増加を招くばかりでなく、アドレス駆動回路とアドレス電極間の配線が非常に複雑になる、アドレス駆動回路等が温度上昇してしまう等の問題が生じることになる。
【０００７】
本発明の目的は、かかる従来技術の欠点を改善し、アドレス放電時の放電遅れ考慮したプラズマディスプレイの駆動方法を提供することである。
【課題を解決するための手段】
【０００８】
上記課題を解決するため、本発明は以下の構成を備える。即ち、複数の走査電極及び維持電極と、前記走査電極と前記維持電極に交差する方向に配置されたアドレス電極を有するプラズマディスプレイパネルを、前記アドレス電極と前記走査電極の間でのアドレス放電により発光セルを規定して前記走査電極及び維持電極間で繰り返し放電を行ってセルを発光させるプラズマディスプレイの駆動方法であって、前記アドレス電極は、赤、緑、青の３種の発光媒質に対応付けられた３種のアドレス電極から成り、前記３種のアドレス電極のうちの少なくとも１種のアドレス電極に印加する前記アドレス放電のためのアドレスパルスを、他のアドレス電極への前記アドレスパルスとは異なるタイミングで印加するように構成する。
【発明の効果】
【０００９】
本発明では、アドレス放電時の放電遅れを考慮して各々のアドレス電極を駆動することができるため、アドレス放電時の放電ミスを抑えた駆動が実現できる。
【発明を実施するための最良の形態】
【００１０】
以下、本発明の実施の形態について、図を用いて詳細に説明する。尚、全図において、共通な機能を有する部分には同一符号を付して示し、一度説明したものについては、煩雑さを避けるため、繰り返した符号の説明を省略する。
【００１１】
図２は、本発明のプラズマディスプレイパネルの構造を示す分解斜視図である。前面のガラス基板２１の下面には維持(Ｘ)電極２２，２４と走査(Ｙ)電極２３，２５が設けられている。この維持(Ｘ)電極は透明電極２２と金属電極２４とで、走査(Ｙ)電極は透明電極２３と金属電極２５とで構成されている。更に、その下面には誘電体層２６とＭｇＯなどの保護層２７が設けられている。一方、背面ガラス基板２８の上面には前面ガラス基板２１のＸ電極２２，２４とＹ電極２３，２５とに交差する方向にアドレス(Ａ)電極２９が設けられている。このＡ電極２９を誘電体３０が覆っており、その上にアドレスＡ電極２９と並行及びＸ電極２２，２４とＹ電極２３，２５に並行に、格子状の隔壁３１が設けられている。さらに発光用の媒質（発光媒質）として赤色Ｒ、緑色Ｇ、青色Ｂの各色の蛍光体３２が、各色の発光媒質に対応付けられたＡ電極２９上の誘電体３０と隔壁３１に塗布されている。
【００１２】
図３は、図２中の矢印Ａ方向から見たプラズマディスプレイパネルの３つのセルの断面図である。Ａ電極２９は隔壁３１の中間に位置し、蛍光体の色毎に１本のＡ電極２９が設けられている。尚、本実施の形態では、各電極に対応する発光媒質としての蛍光体がＲ、Ｇ、Ｂの順番で塗布されている。また、前面ガラス基板２１と背面ガラス基板２８の間の空間３３には、Ｘｅ、Ｎｅ等の放電ガスが充填されている。
【００１３】
図４は、図２中の矢印Ｂ方向からの断面図で、プラズマディスプレイパネルの３つのセルの断面図である。各セルは隔壁３１で仕切られており、Ｘ電極２２，２４とＹ電極２３，２５が交互に配置されている。ＡＣ型プラズマディスプレイパネルでは、この、Ｘ電極２２，２４とＹ電極２３，２５近傍の誘電体上に正負の電荷を分けて集め、この電荷を利用して放電を行うための電界を形成している。
【００１４】
図５は、Ｘ電極２２，２４、Ｙ電極２３，２５及びＡ電極２９の配線と回路構成を示す模式図である。Ｘ駆動回路３４は、Ｘ電極２２，２４に印加する駆動パルスを発生している。Ｙ駆動回路３５は、Ｙ電極２３，２５の１本毎に接続され、Ｙ電極２３，２５に印加するための駆動パルスを発生している。Ａ駆動回路３６は、Ａ電極２９の１本毎に接続され、Ａ電極２９に印加する駆動パルスを発生している。
【００１５】
図６は、本発明におけるフィールド構成を示す図である。図６中、６０は１フィールド期間を示し、横軸は時間ｔ（１フィールド期間）、縦軸は表示パネルの行ｙを表している。本実施の形態では１フィールドを第１〜第８の８個のサブフィールド４１〜４８で構成し、第１サブフィールド４１が最も放電回数が少ないサブフィールドとして割り当てられ、放電回数の少ないサブフィールドから多いサブフィールドの順に並べられている。各サブフィールド４１〜４８には最初にリセット期間４１ａ〜４８ａがある。続いて、Ｙ電極２３，２５に印加する走査パルスとＡ電極２９に印加するアドレスパルスによりアドレス放電させて発光表示するセルを規定するアドレス期間４１ｂ〜４８ｂが設けられている。さらに続いて、Ｘ電極２２，２４、Ｙ電極２３，２５とに交互に維持パルスを印加して、アドレス放電で電荷を形成したセルのみ放電を行う維持放電期間４１ｃ〜４８ｃがある。この維持放電期間４３ｃ〜４８ｃではそれぞれに放電回数が割り振られており、これらの放電回数の組み合わせにより、中間調の表示を行う。尚、各サブフィールドでの放電回数とサブフィールドの順番は任意である。
【００１６】
図７は、本発明における回路構成を示すブロック図である。映像信号を取り込む映像信号処理部５３とアドレスドライバ３６とスキャンドライバ３５と、これらを制御するデータコントロールＬＳＩ４０とマイコン５４で構成される。本発明のアドレスドライバ３６は、データコントロールＬＳＩ４０内のアドレスコントローラ４５からのデータＳＧ２を入力し、データラッチ回路４２の後にタイミングコントローラ４３を介し、各Ｒ、Ｇ、Ｂのアドレス駆動回路３７，３８，３９に出力される。一方、スキャンドライバ３５は、スキャンコントローラ４４を介し、各Ｙ電極に出力される。マイコン５４からは、アドレス駆動回路３７，３８，３９の出力タイミングをコントロールする制御線ＳＧ１が接続されており、この制御線によって各Ｒ、Ｇ、Ｂの種別で出力タイミングの制御が可能となる。そして、各アドレス（Ａ）電極ＡＲ１，ＡＧ１，ＡＢ１，・・・ＡＢｎに印加される。図７のアドレス駆動回路３７，３８，３９にはマイコン５４にて制御可能なタイミングコントローラ４３を入れたが、あらかじめ各色のアドレス放電における放電の遅れ量が明確な場合には、タイミングコントローラ４３は必要なく、各色の所定の遅延量で固定した対応も可能なことは言うまでもない。
【００１７】
図１は、本実施の形態における１つのサブフィールドの駆動波形を示すタイムチャートである。（ａ）は、Ｘ電極２２，２４に印加される駆動波形であり、（ｂ）は、Ｙ電極２３，２５の例えば１行目（Ｙ１）に印加される駆動波形であり、（ｃ）、（ｄ）、（ｅ）は、Ａ電極２９の、例えば赤（Ｒ）、緑（Ｇ）、青（Ｂ）の蛍光体に対応する電極（ＡＲ、ＡＧ、ＡＢ）に印加される駆動波形である。
【００１８】
例えば、１つのサブフィールド４１において、Ｘ電極２２，２４に印加される波形はリセット期間４１ａのリセットパルス１Ｘ、アドレス期間４１ｂのパルス２、維持放電期間４１ｃのＸ維持放電パルス３より成る。
【００１９】
次に、Ｙ電極２３，２５の、例えば１行目（Ｙ１）に印加される波形はそれぞれ、リセット期間４１ａのリセットパルス１Ｙ、アドレス期間４１ｂの走査パルス４、維持放電期間４１ｃのＹ維持放電パルス５よりなる。
【００２０】
次に、Ａ電極２９の、例えば赤の蛍光体に対応する電極ＡＲに印加される波形は、リセット期間４１ａに所定の電圧５０を、維持放電期間４１ｃに所定の電圧１０を印加すると共に、アドレス期間４１ｂにアドレス放電を行うためのアドレスパルス７を印加する。尚、発光させるセルがない場合には、アドレスパルス７もない。他の蛍光体、緑（Ｇ）、青（Ｂ）に対応する電極に印加される波形は、赤（Ｒ）の場合と同様であり、リセット期間４１ａに所定の電圧５１，５２を、維持放電期間４１ｃに所定の電圧１１，１２を印加すると共に、アドレス期間４１ｂにアドレス放電を行うためのアドレスパルス８，９を印加する。尚、アドレスパルス７，８，９の印加開始タイミングは、アドレスパルス７をアドレスパルス８，９に比べて早くしており、アドレスドライバ３６内のアドレス駆動回路３７、３８、３９に供給する駆動のタイミングを制御している。ここで、蛍光体種類あるいは放電特性の違いに基づいて各電極へのアドレスパルスの印加開始タイミングを変更制御することは言うまでもない。
【００２１】
次に動作について説明する。走査パルス４に対してアドレスパルス７、８、９が印加されたセルではＹ電極２３，２５とＡ電極２９との間でアドレス放電が起こり、このアドレス放電をトリガとしてＸ電極２２，２４とＹ電極２３，２５との間で放電が生じる。その結果、Ｙ電極２３，２５近傍の誘電体２６上にはプラスの荷電粒子が、Ｘ電極２２，２４近傍の誘電体２６上にはマイナスの荷電粒子が蓄積される。この荷電粒子が蓄積したセルでのみ、続くＹ維持放電パルス５およびＸ維持放電パルス３で連続して維持放電が生じる。このとき、アドレス電極２９とＹ電極２３，２５との間で発生する放電のタイミングは、蛍光体の色の種類により異なっているため、この放電のタイミングに応じて、各色ごとに適正な電圧の印加のタイミングをとることで、アドレス放電を行いたいセルでは確実な放電を起こし、安定した動作を得ることができる。
【００２２】
本実施の形態では、走査パルス４の印加開始タイミングと、緑色の蛍光体に対応するアドレス電極ＡＧへのアドレスパルス８の印加開始タイミングとを略同時とする。そして、他の赤色と青色の各々に対応するアドレス電極ＡＲ，ＡＢへのアドレスパルス７，９をアドレスパルス８の印加開始タイミングよりも遅くすると共に、アドレスパルス７，９の印加開始タイミングを略同時としている。
【００２３】
以上のように、アドレス放電時の放電遅れが大きい緑色の蛍光体に対応するアドレス電極ＡＧへのアドレスパルスの印加開始タイミングを他の色に対応するアドレス電極ＡＲ，ＡＢへのアドレスパルスの印加開始タイミングより早くすることで、アドレス放電の動作を安定化することができる。
【００２４】
次に第２の実施の形態を図８を用いて説明する。図８は、本実施例の形態における１つのサブフィールドの駆動波形を示すタイムチャートである。（ａ）はＸ電極２２，２４に印加する駆動波形の一部であり、（ｂ）はＹ電極２３，２５の例えば１行目（Ｙ１）に印加する駆動波形であり、（ｃ）、（ｄ）、（ｅ）は、アドレスＡ電極２９の、例えば赤（Ｒ）、緑（Ｇ）、青（Ｂ）の蛍光体に対応する電極ＡＲ、ＡＧ、ＡＢに印加する駆動波形である。尚、図１と同様の駆動パルスには、図１と同じ符号を付し説明は省略する。
【００２５】
本実施例の形態において、Ａ電極２９に印加される波形では、走査パルス４に対してアドレスパルス７、８、９が印加されており、先ず走査パルス４の印加開始タイミングと略同時に緑色の蛍光体に対応するアドレス電極ＡＧへのアドレスパルス８を印加する。そして、次に青色の蛍光体に対応するアドレス電極ＡＢへのアドレスパルス９、赤色の蛍光体に対応するアドレス電極ＡＲへのアドレスパルス９の順で印加する。
【００２６】
以上のように、Ａ電極２９へのアドレスパルスの印加開始タイミングを３種の蛍光体の特性に応じて変えることにより、アドレス放電のタイミングを均一化することが可能となり、放電の動作を安定化することができる。
【００２７】
次に第３の実施の形態を図９により説明する。図９は、本実施例の形態における１つのサブフィールドでの駆動波形示すタイムチャートである。（ａ）はＸ電極２２，２４に印加する駆動波形の一部であり、（ｂ）はＹ電極２３，２５の例えば１行目（Ｙ１）に印加する駆動波形であり、（ｃ）、（ｄ）、（ｅ）は、アドレスＡ電極２９の、例えば赤（Ｒ）、緑（Ｇ）、青（Ｂ）の蛍光体に対応する電極ＡＲ、ＡＧ、ＡＢに印加する駆動波形である。尚、図１と同様の駆動パルスには、図１と同じ符号を付し説明は省略する
本実施例の形態において、先ず走査パルス４の印加開始タイミングよりも早く緑色の蛍光体に対応するアドレス電極ＡＧへのアドレスパルス８を印加する。そして、走査パルス４の印加後に、赤色と青色の各々に対応するアドレス電極ＡＲ，ＡＢへのアドレスパルス７，９を印加する。また、アドレスパルス８が最大電圧値となるタイミングは、走査パルス４が最低電圧値となるタイミングと同じ、或いは走査パルス４が最低電圧値となるタイミングよりも遅くしている。これにより、前の行の走査パルスによる誤放電の発生を抑制することができ、また放電遅れの特性に合わせ、早めのアドレスパルスにて駆動を開始する事で走査パルス４のスキャンタイミングに合わせた放電とする事が可能となる。
【００２８】
更には、アドレスパルス８を緑色の蛍光体に対応するアドレス電極ＡＧに印加するためのアドレス駆動回路３８を、印加開始から所定時間経過後のアドレス放電を発生させる電力を供給させた後に、ハイインピーダンス（Hi-Z）とする。これにより、アドレス放電のための無駄な電力供給を抑えることができ、省電力化が期待できる。
【００２９】
上記のハイインピーダンス化は第３の実施の形態に限るものではなく、第１の実施の形態や第２の実施の形態にも適用可能であることは明らかである。
【産業上の利用可能性】
【００３０】
本発明は、映像表示用のプラズマモジュールなどに利用可能である。
【図面の簡単な説明】
【００３１】
【図１】本発明におけるプラズマディスプレイ装置の駆動波形を説明するタイムチャートである。
【図２】プラズマディスプレイの構造を示す斜視図である。
【図３】図２での矢印Ａ方向から見た断面図である。
【図４】図２での矢印Ｂ方向から見た断面図である。
【図５】パネル電極および回路構成を示す模式図である。
【図６】１フィールドの構成を示す模式図である。
【図７】本発明における回路構成を示すブロック図である。
【図８】第２の実施の形態でのサブフィールドの駆動波形を示すタイムチャートである。
【図９】第３の実施の形態でのサブフィールドの駆動波形を示すタイムチャートである。
【符号の説明】
【００３２】
４  走査パルス
７、８、９  アドレスパルス
２２，２４  維持(Ｘ)電極
２３，２５  走査(Ｙ)電極
２９  アドレス(Ａ)電極
３２  蛍光体
３６  アドレスドライバ
３７  Ｒアドレス駆動回路
３８  Ｇアドレス駆動回路
３９  Ｂアドレス駆動回路
【図１】
2010134305.tif 000003
【図２】
2010134305.tif 000004
【図３】
2010134305.tif 000005
【図４】
2010134305.tif 000006
【図５】
2010134305.tif 000007
【図６】
2010134305.tif 000008
【図７】
2010134305.tif 000009
【図８】
2010134305.tif 000010
【図９】
2010134305.tif 000011